(57)【要約】【課題】熱定着装置への電力供給を段差無く行える熱定着装置への電力供給装置，熱定着装置への電力供給方法，画像記録装置を提供する。【解決手段】交流電源を位相制御して熱定着装置への電力供給を制御する熱定着装置への電力供給装置において、位相制御の通電タイミングの制御は、図４（ａ）に示す位相テーブル内の位置を記憶するソフトウエアポインターを用い、そのソフトウエアポインターの値を図４（ｂ）に示すように増加，減少させて行い、これにより、電力供給を段差無く行うことができる。【選択図】　　　　図４
2004138638.tif 000002
【特許請求の範囲】
【請求項１】
交流電源を位相制御して熱定着装置への電力供給を制御する熱定着装置への電力供給装置において、
前記交流電源のゼロクロスから通電までの時間を記述した位相テーブルを用いて前記位相制御の通電タイミングを制御する通電タイミング制御手段を備えたことを特徴とする熱定着装置への電力供給装置。
【発明の詳細な説明】
【０００１】
【発明の属する技術分野】
本発明は、画像記録装置に関し、特に商用交流電源等の交流電源からの電力を熱エネルギーに変換し、変換された熱エネルギーでトナーを記録紙に定着する熱定着装置への電力供給に関するものである。
【０００２】
【従来の技術】
図６（ａ）に商用交流電源（太字のＳｉｎ曲線）のゼロクロスポイントから所定時間経過後にヒートオンパルスにより通電し熱定着装置のヒーターに電力を供給する模様を示す。図６（ｂ）でゼロクロスポイントから時間“Ｔ”後に通電した場合、ヒーターに供給される電力は図の斜線部分となる。この時間“Ｔ”を変化させることによりヒーターに供給される電力を増減させることができる。この制御を位相制御といい、従来より用いられてきた技術である。
【０００３】
図７は時間と共に変化するヒーターへの供給電力の推移である。時間“Ｔ”を徐々に短くしていくことで供給電力は暫時増加し交流波形の全てが供給された時が供給電力１００％となる。その後、時間“Ｔ”を再び長くしていくことで供給電力は暫時減少し０％になる。従来からこのように供給電力を徐々に増減させる目的はこのような商用電源を用いた熱定着装置と同じ電源系列に接続された外部の電気機器、例えば蛍光灯などの照明器具の光度が熱定着装置への急激な電力変動で変化しチラツキとなって人に不快感を与えるのを防止するためである。また、かかる熱定着装置への供給電力の制御は熱定着装置の温度を制御するためのものである。
【０００４】
電子写真技術を用いた画像記録装置においてはトナーと呼ばれる現像材を静電気の力で記録紙に転写し熱定着装置で熱と圧力により記録紙に定着させる。この定着時の熱定着装置の温度（定着温度）は、用いるトナーにより異なるが良好な定着性を得るためには定着温度を目標とする温度を中心に一定範囲に制御する必要がある。
【０００５】
図８に目標温度を中心に＋２℃、−２℃の範囲で温度制御する場合を示す。図８（ａ）の上のグラフは立ち上がりから目標温度＋、−２℃の範囲で温度が変動する様子を表し、下のグラフはその時の供給電力の推移を表す。供給電力が０％のときから暫時、位相制御により供給電力を増加させると、それに伴って温度も上昇していく。供給電力１００％で一定になってからしばらくして温度が目標温度＋２℃に達すると、供給電力を暫時減少させていき０％まで減少させる。その減少に伴い温度は下降し目標温度―２℃に達すると再度、前と同じように供給電力を暫時増加させる。しかるに、熱定着装置は電力供給により温まってくると周囲温度も上昇するので、同じ供給電力でも温度上昇が早くなる。すなわち、再度０％から位相制御で供給電力を増加させた場合、図のように７０％の電力供給で目標温度に達する。従来技術では供給電力を減少させる際には１００％からの減少に固定していたため、供給電力が一気に７０％から１００％に跳ね上がることになる。時間経過と共に熱定着装置の温度上昇は早くなり、位相制御の４０％で目標温度＋２℃に達すると、今度は４０％から一気に１００％に瞬間、供給電力が跳ね上がってしまう。
【０００６】
次に、熱定着装置が冷えているところから立ち上げた場合は温度上昇が遅く、一度目標温度に到達しても供給電力を減少させると、すぐに温度が下降してしまう。この様子を図８（ｂ）に表す。目標温度＋２℃に達したので位相制御で暫時供給電力を減少させるが７０％の時点で既に目標温度―２℃に達した場合、今度は０％から供給電力を増加させるので、７０％から一気に０％まで瞬間、供給電力が落ちてしまう。
【０００７】
このように、従来技術の位相制御では、電力増加時は０％から暫時増加させ、減少時は１００％から暫時減少させるので、供給電力が０％あるいは１００％に達していない場合は、供給電力にギャップが生じ、急激な電力変動を他の電気機器に及ぼしていた。これが原因で、蛍光灯などのチラツキを充分に押さえることができなかった。
【０００８】
また、熱定着装置がスタンバイ状態から定着動作に向う際にも問題があった。図９は熱定着装置の目標温度が変わった場合の温度と供給電力の変化の様子を示している。
【０００９】
定着器に比熱の大きいヒートローラーを用いた熱定着装置は定着動作を行っていないスタンバイ状態でも、有る一定温度に温度が制御されているのが一般的である。図９の上の図の太い点線で目標温度を示している。スタンバイ状態では目標温度は比較的低いＢの温度に制御されている。位相制御で供給電力が０％から徐々に１００％に増加し、Ｂの温度を超えたら徐々に電力を減少させる。０％の状態で目標温度Ｂを下回ったら再度徐々に電力を増加するが、１００％の状態で目標温度がＢより高いＡに変更されると従来の位相制御では０％から徐々に電力増加をするため一度０％に電力を落とす。ここで、急激な電力変動が起こる。
【００１０】
目標温度をスタンバイ状態から定着状態の温度に上げるタイミングはプリンター等ではプリント要求があったときなので、ランダムに起こる。図９の下の図の▲１▼の区間がスタンバイ状態で定着状態を▲２▼とすると、今度は定着状態からスタンバイ状態に戻るときにも同様のことが起こる。定着状態の区間▲２▼に入り温度がＡに近づいてくるとＡ−４℃に達すると電力を８０％に落とす。更にＡ−２℃に達すると５０％に落とす。目標温度Ａを超えると２０％に落とす。このようにして目標温度近辺に温度を制御する。従い、定着状態では２０％から５０％の供給電力の状態が繰り返される。ここから定着終了となり再びスタンバイ状態の目標温度Ｂに切り替わると温度を下げるために従来の位相制御では１００％から徐々に下げていくため一度１００％に急激に供給電力が増加してしまう。
【００１１】
【発明が解決しようとする課題】
以上説明したように、従来技術の位相制御では、供給電力増加時には固定的に０％から電力を増加していき、逆に供給電力を減少させるときは、固定的に１００％から電力を減少させていたため、増加，減少開始時点である値の電力供給があると、その値から０％あるいは１００％に電力供給の急激な変動が起こってしまう。これが、蛍光灯などのチラツキの原因となっていた。
【００１２】
本発明は、このような状況のもとでなされたもので、熱定着装置への電力供給を段差無く行える熱定着装置への電力供給装置，熱定着装置への電力供給方法，画像記録装置を提供することを目的とするものである。
【００１３】
【課題を解決するための手段】
前記目的を達成するため、本発明では、熱定着装置への電力供給装置を次の（１）〜（３）のとおりに構成し、熱定着装置への電力供給方法を次の（４），（５）のとおりに構成し、画像記録装置を次の（６）のとおりに構成する。
【００１４】
（１）交流電源を位相制御して熱定着装置への電力供給を制御する熱定着装置への電力供給装置において、
前記交流電源のゼロクロスから通電までの時間を記述した位相テーブルを用いて前記位相制御の通電タイミングを制御する通電タイミング制御手段を備えたことを特徴とする熱定着装置への電力供給装置。
【００１５】
（２）前記（１）記載の熱定着装置への電力供給装置において、
前記通電タイミング制御手段は、前記位相テーブル内の位置を記憶するソフトウエアポインターを用い、そのソフトウエアポインターの値を増加，減少させて通電タイミングを制御することを特徴とする熱定着装置への電力供給装置。
【００１６】
（３）前記（２）記載の熱定着装置への電力供給装置において、
前記通電タイミング制御手段は、供給電力増加時と供給電力減少時とで、同一の位相テーブルを用いることを特徴とする熱定着装置への電力供給装置。
【００１７】
（４）交流電源を位相制御して熱定着装置への電力供給を制御する熱定着装置への電力供給方法であって、
前記交流電源のゼロクロスから通電までの時間を記述した位相テーブルを用いて前記位相制御の通電タイミングを制御することを特徴とする熱定着装置への電力供給方法。
【００１８】
（５）前記（４）記載の熱定着装置への電力供給方法において、
前記通電タイミングの制御は、前記位相テーブル内の位置を記憶するソフトウエアポインターを用い、そのソフトウエアポインターの値を増加，減少させて行うことを特徴とする熱定着装置への電力供給方法。
【００１９】
（６）前記（１）ないし（３）の何れかに記載の熱定着装置への電力供給装置を備えたことを特徴とする画像記録装置。
【００２０】
【発明の実施の形態】
以下本発明の実施の形態を“熱定着装置への電力供給装置”の実施例により詳しく説明する。なお、本発明は、装置の形に限らず、実施例の説明に裏付けられて方法の形で実施することもできる。
【００２１】
【実施例】
図４（ａ）は、実施例である“熱定着装置への電力供給装置”における、位相制御を行うプログラムテーブルである（位相テーブルともいう）。ｔｂｌ＿ｓｓ＿ｗｍｕｐ＿ｄｏｗｎ＿５０を先頭ラベルとして、１ｂｙｔｅ毎に商用電源のゼロクロスから通電までの時間に相当する定数が並んでいる。なお、ここに記されている値は１６進数で書かれていて、詳細にはこれらの値を専用のＬＳＩに書きこむことにより熱定着装置にその値に対応した時間で通電されるが、本発明と直接は関係無いので詳細説明は省略する。
【００２２】
テーブル値は左から右に進むに従い値が小さくなっている。これはテーブルが進むにしたがってゼロクロスから通電までの時間が短くなっていくことを表している。テーブル値は全部で３９個ある。テーブル値を索引する方法は図４（ｂ）に示すとおり先頭ラベルｔｂｌ＿ｓｓ＿ｗｍｕｐ＿ｄｏｗｎ＿５０に０から３８の何れかの数を加えてアドレスを指定する相対アドレス方式である。０から３８の数字はポインターと呼ばれるレジスターに格納する。実際に熱定着装置への供給電力を増加させる時はポインターを０から増加させていき３８で停止する。
【００２３】
下記のプログラムリスト−１は本実施例のプログラムリストであるが、その構成を図５に示す。
【００２４】
熱定着装置が定着動作中でない「スタンバイの状態」と「定着動作中の状態」と「スタンバイから定着動作へ移行する過程の状態」の３つの状態を作り、各々、ＳＴＡＮＤＢＹ、ＴＥＩＣＨＡＫＵ＿ＯＮＤＯ、ＰＲＩＮＴと名づける。状態の遷移は図５に示す矢印の向きである。さらに、これらの状態の中に熱定着装置への電力供給の仕方でいくつかのモードがある。熱定着装置の温度を上昇させるために供給電力を位相制御で増加させるモードをＷＡＲＭＵＰ、フルパワーを供給するモードをＦＵＬＬ＿ＯＮ、温度を低下させるために供給電力を位相制御で減少させるモードをＷＡＲＭＤＯＷＮ、供給電力を０にするモードをＦＵＬＬ＿ＯＦＦとする。スタンバイ状態では、たとえば１５０℃に目標温度が設定されているとＷＡＲＭＵＰモードで図４（ｂ）のポインターを０から１づつ増やしていき徐々に供給電力を増加させていき、位相テーブル（図４（ａ）のｔｂｌ＿ｓｓ＿ｗｍｕｐ＿ｄｏｗｎ＿５０）が３８まで進んだ後は（図４（ｂ）のポインターの値を１づつ増加させていき３８になった後は）ＦＵＬＬ＿ＯＮモードに移行し、温度が１５０℃を超えたらＷＡＲＭＤＯＷＮモードでポインターの値を３８から１づつ減少させていき電力を徐々に減らす。このＷＡＲＭＤＯＷＮモードで使用する位相テーブルはＷＡＲＭＵＰでのテーブルと同じテーブルである。ポインターの値を１づつ減らすことにより位相テーブルを逆に戻すのである。
【００２５】
位相テーブル（図４（ａ）のｔｂｌ＿ｓｓ＿ｗｍｕｐ＿ｄｏｗｎ＿５０）が０まで戻った後は（図４（ｂ）のポインターの値が０になった後は）ＦＵＬＬ＿ＯＦＦモードに移行する。ＦＵＬＬ＿ＯＦＦの状態で１５０℃を下回ったら再度ＷＡＲＭＵＰモードに移行する。装置がスタンバイ状態ではこれを繰り返す。このようにすれば、たとえＷＡＲＭＵＰモードの最中に１５０℃を超えても、その超えた時点でのポインターの値からポインターの値を減少させて位相テーブルが逆戻りして供給電力を減らすので、急激な電力変動は起こらない。この様子を図１に示す。図１のＡ，およびＢのポイントでＷＡＲＭＵＰ中に熱定着装置の温度が目標温度＋２℃に達したので供給電力の段差がなくＷＡＲＭＤＯＷＮに移行している。
【００２６】
同様に、ＷＡＲＭＤＯＷＮ中に目標温度を下回りＷＡＲＭＵＰに移行する場合でもその温度が下回った時点でのポインターの値からポインターの値を増加させて位相テーブルを進めて供給電力を増やすので急激な電力変動は起こらない。この様子を図２に示す。ＷＡＲＭＤＯＷＮ中のＣ、Ｄ、Ｅで目標温度―２℃に達したので供給電力の段差なくＷＡＲＭＵＰに移行している。
【００２７】
次に、本実施例装置を用いた画像記録装置がスタンバイ状態から定着状態（ＰＲＩＮＴ状態）に移行する際の電力供給について説明する。図３でスタンバイ状態での目標温度Ｂ（例えば１５０℃）で温度制御中にＰＲＩＮＴ指示があり目標温度がＡ（例えば１８０℃）に切り替わった場合、その時点（図３のＦのポイント）での電力供給は１００％であったので、そのまま１００％の電力供給を続けている。仮に、この時点でＷＡＲＭＵＰ、あるいは、ＷＡＲＭＤＯＷＮ状態であっても、その時点での位相テーブルの位置を示すポインターの値からポインターの値を増加，減少（位相テーブルを進むか、戻るか）させて位相量を変動させるので電力供給量に段差は発生しない。ＰＲＩＮＴ状態からスタンバイ状態に戻る時も同様に目標温度がＡからＢに切り替わった時点での電力供給量が２０％であったので、その時点の位相テーブルの位置を示すポインターの値からポインターの値を減少させるので電力供給に段差は発生しない。
【００２８】
本実施例におけるプログラムリストをプログラムリスト−１として次に示す。
【００２９】
2004138638.tif 000003
2004138638.tif 000004
2004138638.tif 000005
【００３０】
プログラムリストリストの一行目記述のｍｅｍ１＿ｆｉｘ＿ｐｈａｓｅはＳＴＡＮＤＢＹ、ＴＥＩＣＨＡＫＵ＿ＯＮＤＯ、ＰＲＩＮＴの状態を示す定数を記憶するレジスターである。３行目記述のｆｓｒｏｎ＿７０はスタンバイ状態からＰＲＩＮＴ状態に移行する際に用いるフラグであり、このフラグがオンの時はスタンバイ状態、オフの時はＰＲＩＮＴ状態を表す。スタンバイ中はｆｓｒｏｎ＿７０がオンなのでラベルｆｉｘ５＿０５に飛ぶ。ラベルｆｉｘ５＿０５行記述のｍｅｍ０＿ｚｘ＿ｐｈａｓｅは電力供給状態を表すレジスターでＦＵＬＬ＿ＯＮ、ＦＵＬＬ＿ＯＦＦ、ＷＡＲＭＵＰ、ＷＡＲＭＤＯＷＮの各々の定数が記憶される。スタンバイ状態に移行する前にこのレジスターに前記の定数の何れかが記憶されているものとする。ｍｅｍ０＿ｚｘ＿ｐｈａｓｅがＦＵＬＬ＿ＯＮなら目標温度＋２℃でｍｅｍ０＿ｚｘ＿ｐｈａｓｅにＷＡＲＭＤＯＷＮを代入する。ＷＡＲＮＤＯＷＮ状態ではｍｅｍ０＿ｓｓ＿ｃｎｔが“０”になるまでｍｅｍ０＿ｓｓ＿ｃｎｔをデクリメント（マイナス１）していって位相テーブルを逆に戻し、“０”になったらｍｅｍ０＿ｚｘ＿ｐｈａｓｅをＦＵＬＬ＿ＯＦＦにする。ＷＡＲＭＤＯＷＮ中に温度が目標温度―２℃以下になったらその状態からＷＡＲＭＵＰに移行する。ここで、ｍｅｍ０＿ｓｓ＿ｃｎｔが前述した位相テーブルの位置を示すポインターである。ｍｅｍ０＿ｓｓ＿ｃｎｔが“０”になりＦＵＬＬ＿ＯＦＦ状態に移行した後温度が目標温度―２℃以下になったらＷＡＲＭＵＰに移行する。ＷＡＲＭＵＰではｍｅｍ０＿ｓｓ＿ｃｎｔが“３８”（位相テーブルの最後）になるまでインクリメント（プラス１）して位相テーブルを進め、“３８”になったらＦＵＬＬ＿ＯＮに移行する。途中、温度が目標温度＋２℃以上になったらその時点のポインターｍｅｍ０＿ｓｓ＿ｃｎｔの値からＷＡＲＭＤＯＷＮに移行する。スタンバイ状態では以上の制御を繰り返す。
【００３１】
スタンバイ状態中にプリント（定着）状態になるとリストの３行目でｆｓｒｏｎ＿７０がオフになり（このフラグのオン、オフは別のプログラム部分で行われるが、記述は省略する）、４行目移行にプログラム制御が移行する。ｍｅｍ１＿ｆｉｘ＿ｐｈａｓｅに定数ＴＥＩＣＨＡＫＵ＿ＯＮＤＯを代入し、装置の状態をＴＥＩＣＨＡＫＵ＿ＯＮＤＯ状態に移行させる。さらにその時点での熱定着装置の温度が目標温度からどれだけ離れているかにより、レジスターｍｅｍ１＿ｏｎｄｏ＿ｓａに適した位相テーブルの値を代入する。
【００３２】
熱定着装置温度＞＝目標温度＋３℃・・・・ｍｅｍ１＿ｏｎｄｏ＿ｓａ＝０（ＦＵＬＬ＿ＯＦＦ；供給電力０％）
熱定着装置温度＞＝目標温度＋１℃・・・・ｍｅｍ１＿ｏｎｄｏ＿ｓａ＝７（ＯＵＴ＿２０；供給電力２０％）
熱定着装置温度＜＝目標温度―６℃・・・・ｍｅｍ１＿ｏｎｄｏ＿ｓａ＝３８（ＦＵＬＬ＿ＯＮ；供給電力１００％）
熱定着装置温度＜＝目標温度―４℃・・・・ｍｅｍ１＿ｏｎｄｏ＿ｓａ＝３１（ＯＵＴ＿８０；供給電力８０％）
熱定着装置温度＜＝目標温度―２℃・・・・ｍｅｍ１＿ｏｎｄｏ＿ｓａ＝２３（ＯＵＴ＿５０；供給電力５０％）
ＴＥＩＣＨＡＫＵ＿ＯＮＤＯ状態（リストのＣＡＳＥ　ＴＥＩＣＨＡＫＵ＿ＯＮＤＯ）に移行すると位相テーブルポインター
ｍｅｍ０＿ｓｓ＿ｃｎｔがｍｅｍ１＿ｏｎｄｏ＿ｓａより大きければＷＡＲＭＤＯＷＮに（ＣＡＳＥ　ＴＥＩＣＨＡＫＵ＿ＯＮＤＯから７，８行目）、以下であればＷＡＲＭＵＰに移行する。そして、ＷＡＲＭＵＰならｍｅｍ０＿ｓｓ＿ｃｎｔをインクリメント、ＷＡＲＭＤＯＷＮならデクリメントする。これを繰り返して、ｍｅｍ０＿ｓｓ＿ｃｎｔがｍｅｍ１＿ｏｎｄｏ＿ｓａに一致したらＰＲＩＮＴ状態に移行する。この制御はＰＲＩＮＴ中（定着中）は定着温度に制御するため位相テーブルを階段的に使用するので、その温度差によって決まる位相量までポインターｍｅｍ０＿ｓｓ＿ｃｎｔを増減させることを行っている。こうしないと、ＰＲＩＮＴ状態（定着状態）に移行した際に供給電力に段差が生じてしまうからである。
【００３３】
ＰＲＩＮＴ状態に移行すると（リストのＣＡＳＥ　ＰＲＩＮＴ）フラグｆｓｒｏｎ＿７０がオンになるまで、熱定着装置の温度と目標温度との差によって供給電力を切りかえる。
【００３４】
熱定着装置温度＞＝目標温度＋３℃・・・・（ＦＵＬＬ＿ＯＦＦ；供給電力０％）
熱定着装置温度＞＝目標温度＋１℃・・・・（ＯＵＴ＿２０；供給電力２０％）
熱定着装置温度＜＝目標温度―６℃・・・・（ＦＵＬＬ＿ＯＮ；供給電力１００％）
熱定着装置温度＜＝目標温度―４℃・・・・（ＯＵＴ＿８０；供給電力８０％）
熱定着装置温度＜＝目標温度―２℃・・・・（ＯＵＴ＿５０；供給電力５０％）
フラグｆｓｒｏｎ＿７０がオンになるとｍｅｍ１＿ｆｉｘ＿ｐｈａｓｅに定数ＳＴＡＮＤＢＹを代入してＳＴＡＮＤＢＹ状態に移行させ、電力供給もＷＡＲＭＤＯＷＮに移行させる。定着温度は１８０℃、スタンバイ温度は１５０℃なので必ずＷＡＲＭＤＯＷＮになる。
【００３５】
次に、商用交流電源のゼロクロス時の制御を下記プログラムリスト−２に示す。
【００３６】
2004138638.tif 000006
【００３７】
ラベルはｚｘ＿ｍａｉｎである。これは交流電源のゼロクロスをトリガーとするプログラムインターラプトルーチンである。ｍｅｍ０＿ｚｘ＿ｐｈａｓｅの値によってＷＡＲＭＵＰ、ＷＡＲＭＤＯＷＮ等の状態にわかれる。ＷＡＲＭＵＰであれば（ＣＡＳＥ　　ＷＡＲＭＵＰ）の中の制御で位相テーブルｔｂｌ＿ｓｓ＿ｗｍｕｐ＿ｄｏｗｎ＿５０のアドレスに位相テーブルポインターの値（０から３８）ｍｅｍ０＿ｓｓ＿ｃｎｔを足しその足されたアドレスのデータ（位相テーブル上の値）をｕｓｒｉｓｏｓｔｄｔｌ０にセットする。ｕｓｒｉｓｏｓｔｄｔｌ０は熱定着装置に実際に通電するハード回路内のレジスターでありハード回路内で、セットされた値をゼロクロスから通電までの時間に換算して熱定着装置に通電するが、本発明とは直接は関係無いので詳細説明は省く。その他、ＷＡＲＭＤＯＷＮ、ＦＵＬＬ＿ＯＮ、ＦＵＬＬ＿ＯＦＦ、ＯＵＴ＿２０、ＯＵＴ＿６０、ＯＵＴ＿８０も同様である。
【００３８】
以上説明したように、本実施例によれば、熱定着装置の目標温度変更時、あるいは、熱定着装置の温度が目標温度からオーバーシュート，アンダーシュートしたときの供給電力の増減を段差無く行えるので、熱定着装置と同一の電源ラインに接続されている電機機器への電力変動の影響（例えば蛍光灯の光度のチラツキ）を軽減することができる。また、前述の供給電力の段差の無い増減制御の実現法として、増加，減少制御時の位相量を単一のソフトウエアテーブル（位相テーブル）を用い、テーブルに記述されている位相量の索引にソフトウエアポインターを用いることで、プログラム容量の削減、制御の簡略化ができる。
【００３９】
【発明の効果】
以上説明したように、本発明によれば、熱定着装置への電力供給を段差無く行うことができ、熱定着装置と同一の電源ラインに接続されている電機機器への電力変動の影響（例えば蛍光灯の光度のチラツキ）を軽減することができる。
【図面の簡単な説明】
【図１】実施例の位相制御の説明図
【図２】実施例の位相制御の説明図
【図３】実施例の位相制御の説明図
【図４】位相テーブルの説明図
【図５】定着状態変化および電力供給モード変化の状態遷移を示す図
【図６】位相制御の説明図
【図７】熱定着装置への供給電力の推移を示す図
【図８】従来の位相制御の説明図
【図９】従来の位相制御の説明図
【図１】
2004138638.tif 000007
【図２】
2004138638.tif 000008
【図３】
2004138638.tif 000009
【図４】
2004138638.tif 000010
【図５】
2004138638.tif 000011
【図６】
2004138638.tif 000012
【図７】
2004138638.tif 000013
【図８】
2004138638.tif 000014
【図９】
2004138638.tif 000015